(57)【要約】【課題】画像を読み取った結果に対して影響を与える光源に起因して発生する明度の変動の程度を、画像を読み取りながら測定し、この測定した程度の値に基づき読み取った画像を補正する画像読取装置を提供することにある。【解決手段】画像読取装置は、光源部２１から照射され読取領域ＲＡにおいて原稿ＭＳにより拡散反射された光に基づいて原稿ＭＳ上の画像の画像情報を生成し、また、光源部２１から照射され、光回折部２５が回折した光に基づいて生成される明度基準情報に対して、光源部２１が理想的な強さの光を照射する場合の基準値を予め設定し、明度基準情報とこの基準値の差を光の強さの変動量とする。このようにして、画像読み取り中にこの光の強さの変動の程度が変化する場合も、その変動を示す明度基準情報に応じて原稿画像情報を補正することにより、変動の影響を打ち消した画像を示す補正画像情報が生成される。【選択図】図３
2011044810.tif 000002
【特許請求の範囲】
【請求項１】
光が入射する第１の検出領域を有し、当該第１の検出領域に入射する光を検出し、検出した光に応じて第１の検出情報を出力する第１の光検出手段と、
照射される光が到達する領域内にある被読取体上の画像を前記第１の検出領域に結像させる結像手段と、
光が入射する第２の検出領域を有し、当該第２の検出領域に入射する光を検出し、検出した光に応じて第２の検出情報を出力する第２の光検出手段と、
前記照射される光を前記第２の光検出領域へ入射するよう導く導光手段と、
前記第１の検出情報を前記第２の検出情報により補正して、前記被読取体上の画像を示す画像情報を生成する生成手段と
を具備することを特徴とする画像読取装置。
【請求項２】
前記導光手段は、前記照射される光を回折して前記第２の光検出領域へ入射するよう導く
ことを特徴とする請求項１に記載の画像読取装置。
【請求項３】
前記導光手段は、前記照射される光を反射させて前記第２の光検出領域へ入射するよう導く
ことを特徴とする請求項１又は２に記載の画像読取装置。
【請求項４】
前記導光手段は、集光鏡を有し、前記照射される光を当該集光鏡で反射させて前記第２の光検出領域へ入射するよう導く
ことを特徴とする請求項１ないし３のいずれかに記載の画像読取装置。
【請求項５】
前記結像手段は、レンズにより結像し、
前記導光手段は、前記照射される光を前記レンズで反射させて前記第２の光検出領域へ入射するよう導くとともに、当該照射される光のうち前記レンズに入射する光は前記第１の検出領域へ入射しないよう導く
ことを特徴とする請求項１ないし４のいずれかに記載の画像読取装置。
【発明の詳細な説明】
【技術分野】
【０００１】
本発明は、画像読取装置に関する。
【背景技術】
【０００２】
画像読取装置においては、光学系等の不均一性により発生する明度の変動の補正（シェーディング補正）を行う場合がある。特許文献１では、原稿読み取り時には、第２の偏光板が照射光を透過し、白基準信号取得時には、液晶モジュールに電圧を印加することで旋光された照射光を第２の偏光板が反射する技術が開示されている。
【先行技術文献】
【特許文献】
【０００３】
【特許文献１】特開２００６−２１１２３４号公報
【発明の概要】
【発明が解決しようとする課題】
【０００４】
本発明の目的は、画像を読み取った結果に対して影響を与える光源に起因して発生する明度の変動の程度を、画像を読み取りながら測定し、この測定した程度の値に基づき読み取った画像を補正する画像読取装置を提供することにある。
【課題を解決するための手段】
【０００５】
本発明の請求項１に係る画像読取装置は、光が入射する第１の検出領域を有し、当該第１の検出領域に入射する光を検出し、検出した光に応じて第１の検出情報を出力する第１の光検出手段と、照射される光が到達する領域内にある被読取体上の画像を前記第１の検出領域に結像させる結像手段と、光が入射する第２の検出領域を有し、当該第２の検出領域に入射する光を検出し、検出した光に応じて第２の検出情報を出力する第２の光検出手段と、前記照射される光を前記第２の光検出領域へ入射するよう導く導光手段と、前記第１の検出情報を前記第２の検出情報により補正して、前記被読取体上の画像を示す画像情報を生成する生成手段とを具備することを特徴とする。
【０００６】
本発明の請求項２に係る画像読取装置は、請求項１に記載の構成において、前記導光手段は、前記照射される光を回折して前記第２の光検出領域へ入射するよう導くことを特徴とする。
【０００７】
本発明の請求項３に係る画像読取装置は、請求項１又は２に記載の構成において、前記導光手段は、前記照射される光を反射させて前記第２の光検出領域へ入射するよう導くことを特徴とする。
【０００８】
本発明の請求項４に係る画像読取装置は、請求項１ないし３のいずれかに記載の構成において、前記導光手段は、集光鏡を有し、前記照射される光を当該集光鏡で反射させて前記第２の光検出領域へ入射するよう導くことを特徴とする。
【０００９】
本発明の請求項５に係る画像読取装置は、請求項１ないし４のいずれかに記載の構成において、前記結像手段は、レンズにより結像し、前記導光手段は、前記照射される光を前記レンズで反射させて前記第２の光検出領域へ入射するよう導くとともに、当該照射される光のうち前記レンズに入射する光は前記第１の検出領域へ入射しないよう導くことを特徴とする。
【発明の効果】
【００１０】
請求項１に係る画像読取装置によれば、画像を読み取った結果に対して影響を与える光源に起因して発生する明度の変動の程度を、画像を読み取りながら測定することができる。
請求項２に係る画像読取装置によれば、光を第２の検出領域に導く素子の設置場所や向きを自由に設定することができる。
請求項３に係る画像読取装置によれば、光源から照射される光が直接届かない場所にある第２の検出領域へ光を導くことができる。
請求項４に係る画像読取装置によれば、平面鏡を用いる場合に比べて、光源から照射される光を多く第２の検出領域へ導くことができる。
請求項５に係る画像読取装置によれば、鏡等を設置できないレンズ面領域で反射する光が到達する場所にある第２の検出領域へ光を導くことができる。
【図面の簡単な説明】
【００１１】
【図１】本実施形態に係る画像読取装置１０の構成を示すブロック図である。
【図２】本実施形態に係るイメージセンサ部２０の模式図である。
【図３】本実施形態に係るイメージセンサ部２０の模式図である。
【図４】光源部２１が照射する光と光回折部２５が回折する光のスペクトル図である。
【図５】変形例２に係るイメージセンサ部２０の模式図である。
【図６】変形例３に係るイメージセンサ部２０の模式図である。
【図７】変形例５に係るイメージセンサ部２０ａの模式図である。
【図８】変形例８に係るイメージセンサ部２０の模式図である。
【発明を実施するための形態】
【００１２】
＜実施形態＞
[構成]
図１は、本実施形態に係る画像読取装置１０の構成を示すブロック図である。イメージセンサ部２０は、被読取体である原稿ＭＳのうち、予め決められた領域における画像を読み取る。イメージセンサ部２０がこの原稿ＭＳ上の予め決められた領域における画像を読み取る動作を、主走査といい、主走査で画像を読み取る原稿ＭＳの領域を読取領域ＲＡという。イメージセンサ部２０についての詳細は後述する。
原稿移動部３０は、モータ等を有し、主走査の終了後、次の画像が読み取られる位置まで原稿ＭＳを移動させる。この移動を繰り返しながら、イメージセンサ部２０が画像を読み取る動作を、副走査といい、移動する方向を副走査方向という。イメージセンサ部２０は、このようにして読み取った画像に基づく情報を制御部４０に出力する。
【００１３】
制御部４０は、ＣＰＵ（Central Processing Unit）などの演算装置やＲＡＭ（Random Access Memory）等のメモリなどの記憶手段を備え、上述した各部の動作を制御するとともに、後述する画像に関する処理を行う。ＲＡＭは、画像に関する処理を行うワークエリアとなる。記憶部５０は、ＲＯＭ（Read Only Memory）、ハードディスク、半導体メモリ等の記憶装置を備え、画像情報等の各種情報を記憶する。操作部６０は、利用者が画像読取装置１０に対して選択、確認、取り消しなどの指示を行うための操作を行うタッチパネル、キーボードなどの操作手段であって、操作内容を示す情報を制御部４０に出力する。
【００１４】
次に、イメージセンサ部２０の構成について説明する。光源部２１は、ＬＥＤ（Light Emitting Diode：発光ダイオード）等の光源を有し、原稿ＭＳに対して光を照射する。原稿保持部２２は、ガラス等の光を透過する部材などにより構成される原稿台などによって、配置された原稿ＭＳを保持する。この原稿ＭＳは、原稿保持部２２を透過して到達する光源部２１が照射した光を拡散反射する。結像部２３は、屈折率分布型レンズ等の正立等倍像を結像するレンズを有し、原稿ＭＳが拡散反射した光を原稿読取センサ部２４に到達させる。原稿読取センサ部２４は、フォトダイオード等の光電変換素子を有し、原稿ＭＳが分散反射した光の強さを検出する。
【００１５】
光回折部２５は、フォトポリマー、重クロム酸ゼラチン、銀塩写真フィルム等の干渉縞が記録される素材で形成されたホログラムである回折光学素子２５１及びガラス等の光を反射する素材で形成された反射板２５２を有し、光源部２１が照射した光を回折する。この回折された光は、後述する経路を通り明度基準センサ部２６へ到達する。明度基準センサ部２６は、フォトダイオード等の光電変換素子を有し、光回折部２５が回折した光の強さを検出する。これらの原稿読取センサ部２４及び明度基準センサ部２６は、各々が検出した光の強さに基づいて検出情報を生成し、制御部４０へ出力する。出力されたこれらの検出情報は、後述する構成と動作により、それぞれ画像情報の生成および画像情報の明度の補正に用いられる。続いて、イメージセンサ部２０の詳細な構成について説明する。
【００１６】
図２は、本実施形態に係るイメージセンサ部２０の模式図である。被読取体である原稿ＭＳは、図示せぬ原稿保持部２２に保持され、この原稿ＭＳのうち読取領域ＲＡにおける画像が読み取られる。光源部２１は、図示せぬ原稿保持部２２を透過して原稿ＭＳの読取領域ＲＡに光を照射する位置に設けられている。なお、光源部２１が照射する光が原稿読取センサ部２４及び明度基準センサ部２６に直接到達しないように、図示せぬ遮蔽物が設置されている。光源部２１より照射されて原稿ＭＳの読取領域ＲＡに到達した光は、この読取領域ＲＡにおいて拡散反射され、結像部２３により導かれて原稿読取センサ部２４へ到達する。原稿読取センサ部２４は、列をなして配置された複数の光電変換素子を有し、これらの光電変換素子が配置される領域に入射する光の強さを検出する。このようにして入射する光の強さを検出する領域を、検出領域２４ｋという。また、これらの光電変換素子が列をなす方向を主走査方向という。
【００１７】
これらの光電変換素子は、各々検出領域２４ｋに入射する光の強さに基づき電荷を生成し、原稿読取センサ部２４は、生成された電荷に応じて電気信号を発生させ、この電気信号を増幅して制御部４０へ出力する。この出力された電気信号は、原稿読取センサ部２４が生成する検出情報を示す信号であり、各検出領域２４ｋに入射する光の強さに対応する値を持つ。一方、読取領域ＲＡ内にある原稿ＭＳ上の画像は、結像部２３により各検出領域２４ｋに正立等倍に結像される。このため、原稿読取センサ部２４は、検出領域２４ｋに入射する光の強さを検出することで、読取領域ＲＡ内の原稿ＭＳ上の画像を読み取る。このようにして、制御部４０は、原稿読取センサ部２４の出力する検出情報に基づき、原稿ＭＳ上の画像を示す画像情報を生成する。
【００１８】
一方、明度基準センサ部２６は、列をなして配置された複数の光電変換素子を有し、これらの光電変換素子が配置される領域に入射する光の強さを検出する。このようにして入射する光を検出する領域を検出領域２６ｋという。明度基準センサ部２６は、検出領域２６ｋが主走査方向に沿うように配置され、各検出領域２６ｋは、原稿読取センサ部２４の検出領域２４ｋの各々と主走査方向に対応して配置されている。これらの光電変換素子は、この検出領域２６ｋに入射する光の強さに基づき電荷を生成し、明度基準センサ部２６は、この生成された電荷に応じて電気信号を発生させ、この電気信号を増幅して制御部４０へ出力する。この出力された電気信号は、明度基準センサ部２６が生成する検出情報を示す信号であり、各検出領域２６ｋに入射する光の強さに対応する値を持つ。ここで、上述したように、明度基準センサ部２６には光回折部２５において回折された光が到達しており、この光の経路及び光回折部２５の配置等について次に説明する。
【００１９】
図３は、本実施形態に係るイメージセンサ部２０の模式図である。光回折部２５は、原稿保持部２２の光源部２１側で、光源部２１から原稿ＭＳの読取領域ＲＡに到達する光を遮らない位置に配置される。そして、光源部２１により照射されてこの回折光学素子２５１に入射した光は、この回折光学素子２５１を透過して反射板２５２へ到達し、反射板２５２により反射されて再び回折光学素子２５１の内部を透過して外部へ出射する。この光は、出射するときに回折光学素子２５１によって回折され、結像部２３を構成するレンズの原稿ＭＳ側の表面に向かって進む。以下、このレンズの表面をレンズ面Ｓｕｒｆという。ここで、レンズ面Ｓｕｒｆの中心と光回折部２５の中心との副走査方向の距離をｄ１、レンズ面Ｓｕｒｆと回折光学素子２５１の光が回折する面との距離をｄ２とすると、光回折部２５が回折した光のレンズ面Ｓｕｒｆへの入射角θに対してｔａｎθ＝ｄ１／ｄ２の関係となる。
【００２０】
このとき、光回折部２５は、このように回折した光のレンズ面Ｓｕｒｆへの入射角θが、レンズ面Ｓｕｒｆでの屈折率との関係で光が全反射する角度になるように配置されている。この結果、レンズ面Ｓｕｒｆに入射する光は、大部分が正反射する。なお、正反射せずにレンズ面Ｓｕｒｆから結像部２３へ入射する光があった場合、この光は正立等倍に結像するレンズを通るため、原稿読取センサ部２４とは異なる場所に到達する。そして、明度基準センサ部２６は、レンズ面Ｓｕｒｆで正反射した光が検出領域２６ｋに到達するように配置されている。このようにして、明度基準センサ部２６は、検出領域２６ｋへ到達する光の強さを検出し、検出情報を制御部４０へ出力する。
【００２１】
制御部４０は、後述する動作を行い、明度基準センサ部２６の出力する検出情報に基づいて光源部２１に起因する明度の変動を測定する。理想的には、検出領域２６ｋへ導かれる光の量が多いほど、出力される検出情報の値が大きくなり、この結果測定される明度の変動量が大きくなる。このため、明度の変動の程度を明確に測定するため、光回折部２５は光源部２１が照射する光の性質に合わせて、より多くの光を回折するように形成されている。
【００２２】
図４は、光源部２１が照射する光と光回折部２５が回折する光のスペクトル図である。この図の横軸は光の波長λを示し、縦軸は回折する光の強度Ｐを示す。光回折部２５を構成する回折光学素子２５１には、光源部２１が照射する光と干渉する特性を持ち、それぞれ波長がλ２、λ３、λ４であるレーザー光を用いて干渉縞が形成されている。そして、光源部２１が、スペクトルＳＰ１に示される波長分布を持つ光を照射すると、光回折部２５は、同図のスペクトルＳＰ２、ＳＰ３、ＳＰ４に示される波長分布を持つ光を回折する。
【００２３】
［動作］
次に、本実施形態に係る画像読取装置１０の補正の動作について説明する。まずは、原稿の読み取り動作について、図３に戻って説明する。上述したとおり、光源部２１から照射され読取領域ＲＡにおいて原稿ＭＳにより拡散反射された光に基づいて原稿読取センサ部２４が生成した検出情報は、制御部４０へ出力され、制御部４０により記憶部５０へ格納される。この検出情報は、読取領域ＲＡ内にある原稿ＭＳ上の画像を読み取った情報である。そして、イメージセンサ部２０は、図示せぬ原稿移動部３０が副走査方向に移動させた原稿ＭＳから連続的に画像を読み取り、読み取る度に制御部４０へ検出情報を出力する。こうして蓄積された検出情報を制御部４０が画像として編集する処理を行い、原稿ＭＳ上の画像の画像情報を生成する。この画像情報を原稿画像情報という。
【００２４】
このとき、光源部２１が照射する光の強さが変動すると、この照射される光を原稿ＭＳで拡散反射させて読み取る原稿画像情報の明度も変動する。この明度の変動を測定するため、明度基準センサ部２６は、光源部２１が照射する光を上述した原稿読み取り動作とは異なる経路で導き、原稿読み取り動作の影響を受けない光の強さを検出する。続いて、明度基準センサ部２６が、この光の強さを検出する動作について説明する。
【００２５】
光源部２１から照射され、光回折部２５が回折した光に基づいて明度基準センサ部２６が生成した検出情報は、制御部４０へ出力され、制御部４０により記憶部５０へ格納される。制御部４０は、この検出情報に基づき、光回折部２５に回折された光の強さを示す画像情報を生成する。この画像情報は、読取領域ＲＡで拡散反射される光に影響されない光に基づき生成されるため、光源部２１が照射する光の強さの変動量を測定する基準となるものであり、明度基準情報という。
【００２６】
また、上述のように、光源部２１から照射された光は、異なる経路で検出領域２４ｋ、２６ｋにそれぞれ到達するため、読取領域ＲＡにおける原稿ＭＳが読み取られて原稿画像情報が生成されるときに、光回折部２５に回折された光が検出領域２６ｋへ到達して明度基準情報が生成される。そして、例えば、理想的な強さの光を光源部２１が照射する場合の基準値を基準明度として予め設定し、生成された明度基準情報が示す光の強さとこの基準明度の光の強さとの差を、光源部２１が照射する光の強さの変動量の大きさとして測定する。
【００２７】
このようにして、制御部４０は、検出領域２６ｋにおいて検出された光の強さから測定された変動量を、対応する検出領域２４ｋにおいて検出された検出情報に反映させ、この検出情報に対応する原稿画像情報の画素の明度を補正する。例えば、基準明度が２５５として設定されているものとし、ある検出領域２６ｋにおいて検出された光の強さの値が２３０であった場合、光源部２１の影響により、原稿読取センサ部２４に結像部２３を介して到達する光が基準明度より２５５分の２３０の強さになっているものとして、この検出領域２６ｋに対応して設けられた検出領域２４ｋにおいて読み取られた原稿画像情報の画素における明度の値を、２３０分の２５５倍に補正する。
【００２８】
ここで、上述した通り、明度基準センサ部２６における検出領域２６ｋは、原稿読取センサ部２４における検出領域２４ｋに対して主走査方向に対応して配置されている。このため、この補正の処理を各検出領域２４ｋ、２６ｋにおいて行うことにより、検出領域２４ｋ、２６ｋが配置された領域ごとに、これらの領域に対応する原稿画像情報の各画素における光源部２１に起因した明度の変動が補正される。そして、上述した補正の処理は、主走査単位で行う。なお、この補正の処理は、副走査まで完了して原稿画像情報を生成してから行ってもよいし、対応する検出領域２４ｋ、２６ｋにおける各検出情報が出力されるたびに行ってもよい。
【００２９】
このように、制御部４０は、原稿画像情報における各画素の明度を明度基準情報における各基準明度により補正し、補正した結果の明度から補正画像情報を生成して、記憶部５０に記憶させる。これらの原稿画像情報と明度基準情報は、共に光源部２１が照射する光を検出領域２４ｋ、２６ｋに照射させて検出される光の強さの情報を元に生成されている。このため、原稿ＭＳの画像を読み取りながら、光源部２１の影響による明度の変動が測定される。したがって、画像読み取り中にこの明度の変動が生じる場合も、その変動を示す明度基準情報に応じて原稿画像情報を補正することにより、変動の影響を打ち消した画像を示す補正画像情報が生成される。
【００３０】
以上、本発明の実施形態について説明したが、本発明は以下のように、さまざまな形態で実施可能である。
＜変形例１＞
上述した実施形態においては、光回折部２５が明度基準センサ部２６へ導く光を回折するため透過型ホログラムである回折光学素子２５１及び反射板２５２を用いたが、反射型ホログラムである回折光学素子を用いて光を回折させてもよい。回折光学素子２５１の替わりに反射型ホログラムを備えることで、光源部２１から照射された光は反射型ホログラムの光源部２１側の表面で回折され、レンズ面Ｓｕｒｆで正反射して明度基準センサ部２６へ導かれる。ここで、反射型ホログラムにより回折されずに透過する光がある場合は、この光を反射板２５２に替わり設置する光吸収板で吸収してもよい。これにより、例えば、この透過した光が反射等をして明度基準センサ部２６へ到達し、明度基準情報のノイズとなることが防がれる。
【００３１】
＜変形例２＞
上述した実施形態においては、光回折部２５が回折した光をレンズ面Ｓｕｒｆで正反射させて明度基準センサ部２６へ導いたが、平面鏡を用いて明度基準センサ部２６へ導いてもよい。
図５は変形例２に係るイメージセンサ部２０の模式図である。例えば、同図に示す結像部２３の光回折部２５側の側面Ｓｉｄｅに平面鏡２７を設置する。そして、光回折部２５により回折された光が、この平面鏡２７により正反射されて到達する位置に、明度基準センサ部２６を設置する。このとき、光回折部２５の回折光学素子２５１には、光源部２１から照射される光が平面鏡２７へ向かって回折されるように干渉縞を形成する。
【００３２】
＜変形例３＞
上述した変形例２においては、光回折部２５により回折された光を反射するため平面鏡を用いたが、集光鏡を用いて反射させて、明度基準センサ部２６へ光を導いてもよい。
図６は変形例３に係るイメージセンサ部２０の模式図である。同図に示すように、結像部２３の光回折部２５側の側面Ｓｉｄｅに集光鏡２８を設置する。そして、光回折部２５により回折された光が、集光鏡２８により反射されて到達する位置に、明度基準センサ部２６を設置する。このとき、図に示すように、光回折部２５から平行に入射される光が、集光鏡２８により反射された光が検出領域２６ｋに集まるように、集光鏡２８の反射面の表面形状、光軸及び位置が設定されている。さらに、光回折部２５は、明度基準センサ部２６よりも大きな面積を持つように形成されている。こうして、検出領域２６ｋより大きな面積の領域に入射する光が、光回折部２５と集光鏡２８により集約されて、検出領域２６ｋへ入射する。これにより、明度基準センサ部２６により出力される検出情報の値が、平面鏡２７を用いる場合より大きくなり、小さな明度の変動が測定される。
【００３３】
＜変形例４＞
上述した実施例においては、光を透過するホログラムで構成される光回折部２５により明度基準センサ部２６へ光を導いたが、光を回折する機能又は性質を有すれば、光を反射するホログラム、レンズや鏡を組合せた他の装置又は回折レンズ等の部材を用いてもよい。
【００３４】
＜変形例５＞
上述した実施形態においては、原稿保持部２２はイメージセンサ部２０の一部を構成し、イメージセンサ部２０を構成する各部との相対位置は変わらなかったが、イメージセンサ部２０から独立させて構成してもよい。
図７は、変形例５に係るイメージセンサ部２０ａの模式図である。原稿ＭＳは、図示せぬ画像読取装置１０の本体に固定された原稿保持部２２ａに保持されている。イメージセンサ部２０ａは、光源部２１、結像部２３、原稿読取センサ部２４、明度基準センサ部２６を有し、主走査が終わると、図示せぬモータ等を有したセンサ部移動装置により副走査方向に移動して、次の主走査を行う。こうして主走査と副走査を繰り返し、原稿ＭＳ上に示される画像を読み取る。
【００３５】
＜変形例６＞
上述した実施形態においては、制御部４０は、各検出領域２４ｋ、２６ｋの各々対応した検出領域における検出情報を比較して画像情報を補正したが、各々対応関係がない検出情報に基づき補正してもよいし、ひとつの検出領域２６ｋにおける検出情報に基づき補正してもよい。この場合でも、画像読取装置１０は、原稿画像の読み取り動作を行いながら明度基準情報を取得し、原稿画像情報の明度の補正を行う。
【００３６】
＜変形例７＞
上述した実施形態においては、画像読取装置１０は、画像読取動作を行いながら明度を補正する基準情報を取得し、この基準情報に基づき読み取った画像情報における明度の変動を補正したが、事前に基準となる明度基準情報を生成し、この明度基準情報に基づいて補正の処理方法を定めて、この処理方法により読み取った原稿画像情報の補正処理を行ってもよい。
＜変形例８＞
上述した実施形態においては、光源部２１の影響による明度の変動を測定して原稿画像情報を補正したが、さらに結像部２３を介して検出領域２４ｋに到達する光以外の原因で発生する電気信号の変動を測定して原稿画像情報を補正してもよい。この電気信号の変動の原因には、例えばラインセンサの暗電流等の電気ノイズまたは漏れ光等の結像部２３を介さずに検出領域２４ｋに到達する光によるノイズなどがある。以下、これらのノイズの値を暗度基準値という。
【００３７】
図８は、変形例８に係るイメージセンサ部２０の模式図である。暗度基準センサ部２９は、列をなして配置された複数の光電変換素子を有し、これらの光電変換素子が配置される領域に照射される光の強さを検出し、検出情報を生成して制御部４０へ出力する。この照射された光の強さを検出する領域を、検出領域２９ｋといい、暗度基準センサ部２９は、この検出領域２９ｋに結像部２３を介した光が入射しない位置でかつ原稿読取センサ部２４を副走査方向にずらした位置に配置される。そして、各センサ部２４、２９における各検出領域２４ｋ、２９ｋのうち、副走査方向にずれた関係にある各々は対応関係になっている。また、検出領域２９ｋの光の強さを検出する光電変換素子は、読取領域ＲＡにおける原稿ＭＳの内容に影響されないため、読取領域ＲＡにおける原稿ＭＳを読み取って原稿画像情報が生成されるときに、検出領域２９ｋにおける検出情報も合わせて暗度基準センサ部２９により生成され、制御部４０へ出力される。
【００３８】
こうして出力される検出情報は、結像部２３を介して各検出領域２４ｋに到達する光以外の原因で発生する電気信号の変動、すなわち画像読み取りのための電気信号におけるノイズの値を測定する基準となり、この検出情報をノイズ基準情報と言う。例えば、ノイズが発生していない状態における各検出領域２４ｋにおける検出情報の値を基準値として予め定めておき、暗度基準センサ部２９から出力された各検出領域２９ｋにおけるノイズ基準情報の値とこれらの基準値との差分をノイズの値として測定する。そして、制御部４０は、各検出領域２４ｋにおける検出情報の値を、それぞれに対応して設けられた検出領域２９ｋにおいて測定されたノイズの値に応じて補正する。
【００３９】
例えば、基準値を０とする検出領域２９ｋにおいて検出されたノイズ基準情報の値が５であれば、この検出領域２４ｋに対応する検出領域２４ｋが原稿ＭＳを読み取り検出した明度から５を減じる補正を行う。この補正処理を、各検出領域２４ｋ、２９ｋ間において行うことにより、検出領域２４ｋごとに発生したノイズが補正される。これらの補正は、主走査単位で行ってもよいし、事前に明度を補正するノイズ基準情報を測定し、この基準情報に基づいて補正の処理方法を定めて、この処理方法により読み取った画像情報の補正処理を行ってもよい。また、漏れ光等の検出が不要である場合は、暗度基準センサ部２９に光を透過しない覆いを被せて光の入射を防いでもよい。
【００４０】
このように、制御部４０は、原稿画像情報における各明度を検出領域２９ｋが測定するノイズの値により補正し、補正した結果の明度から補正画像情報を生成して、記憶部５０に記憶する。このノイズの値は、原稿ＭＳの画像を読み取りながら測定する。したがって、画像読み取り中にノイズの程度が変化する場合も、変化したノイズの値を読み取り、このノイズの値に応じて原稿画像情報を補正することにより、変動の影響を打ち消した画像を示す補正画像情報が生成される。
【符号の説明】
【００４１】
１０…画像読取装置、２０，２０ｂ…イメージセンサ部、２１…光源部、２２…原稿保持部、２３…結像部、２４…原稿読取センサ部、２５…光回折部、２６…明度基準センサ部、２７…平面鏡、２８…集光鏡、２９…暗度基準センサ部、３０…原稿移動部、４０…制御部、５０…記憶部、６０…操作部、２５１…回折光学素子、２５２…反射板
【図１】
2011044810.tif 000003
【図２】
2011044810.tif 000004
【図３】
2011044810.tif 000005
【図４】
2011044810.tif 000006
【図５】
2011044810.tif 000007
【図６】
2011044810.tif 000008
【図７】
2011044810.tif 000009
【図８】
2011044810.tif 000010